(57)【要約】      （修正有）【課題】人体のツボを押圧して継続的かつ効果的に刺激を与えることができるツボ刺激シールを提供する。【解決手段】人体の皮膚に貼り付け可能な粘着シート１と、前記粘着シート１の粘着面に固定された押圧体２とを有し、前記押圧体２が、直径０．６〜２．０ｍｍの球体の形状をなしており、かつチタンを含有しているので、人体のツボを押圧して継続的かつ効果的に刺激を与えることができる。本考案に係るツボ刺激シールの前記粘着シート１の前記粘着面と反対側の面に装飾体３を固定することで、ツボ刺激シールの見た目をよくし、お洒落な雰囲気をだすことができる。本考案に係るツボ刺激シールは、特に耳ツボを押圧して刺激を与えるのに好適である。【選択図】図１
0003176949.tif 000002
【実用新案登録請求の範囲】
【請求項１】
人体の皮膚に貼り付け可能な粘着シートと、前記粘着シートの粘着面に固定された押圧体とを有し、
前記押圧体が、直径０．６〜２．０ｍｍの球体の形状をなしており、かつチタンを含有しているツボ刺激シール。
【請求項２】
前記球体の直径が、１．１〜１．５ｍｍである請求項１に記載のツボ刺激シール。
【請求項３】
前記押圧体が、チタンを９０重量％以上含む請求項１又は２に記載のツボ刺激シール。
【請求項４】
前記粘着シートの前記粘着面と反対側の面に固定された装飾体をさらに有する請求項１〜３のいずれか１項に記載のツボ刺激シール。
【請求項５】
耳ツボを押圧して刺激を与える請求項１〜４のいずれか１項に記載のツボ刺激シール。
【考案の詳細な説明】
【技術分野】
【０００１】
本考案は、耳ツボ等の人体のツボを押圧して刺激するためのシールに関する。
【背景技術】
【０００２】
東洋医学によれば、頭痛、肩こり、疲れ目、腰痛、便秘など体調がすぐれないとき、指圧、鍼、灸などにより人体のツボ（「経穴」とも言う。）を刺激することで、その症状を緩和することができる。また、ツボ刺激は、冷え性の解消、肌艶の改善、精神の安定、禁煙、食欲抑制によるダイエット、リフトアップにも効果があるとされている。
【０００３】
さらに、最近では、人体のツボを刺激する方法として、粒状又は針状の突起物を粘着テープで固定して押圧する方法も知られている。前述の指圧、鍼、灸による方法では、人体のツボに短期的な刺激しか与えられないのに対し、突起物を固定する方法では、人体のツボを継続的に押圧することができるので、長期的な刺激を与えることができる。しかし、この方法により、例えば耳ツボに突起物を固定した場合には、見た目があまりよくないという問題があった。
【０００４】
そこで、突起物の裏面に装飾物を固定する方法が検討されている。特許文献１には、樹脂シールの上に天然石を接着剤で接着し、樹脂シールの下に粘着剤を塗布し、その粘着剤には、耳ツボを刺激するための、大きさの径が０．１ｍｍ〜０．５ｍｍの一つ又は複数個の金、チタン、又はガラス玉の球状の粒を貼った耳ツボ刺激シールが記載されている。特許文献２には、粘着面が裏面側に形成されたシート体と、前記シート体の裏面側に固定される先端に押圧部を有する押圧体と、前記シート体の表面側に固定される装飾体とからなる耳ツボ用押圧具を、切れ込みを有する台紙に固定した台紙付き耳ツボ押圧具が記載されている。
【先行技術文献】
【特許文献】
【０００５】
【特許文献１】実用新案登録第３１６８６４５号公報
【特許文献２】実用新案登録第３１４６３１５号公報
【考案の概要】
【考案が解決しようとする課題】
【０００６】
ここで、人体のツボを押圧して効果的に刺激を与えるためには、突起物の材質が重要と考えられ、中でもチタンは、血液を温かくし筋肉の機能を活性化する効果があるとされている。実際に、特許文献１にもチタンの球状の粒を用いることが記載されている。
【０００７】
しかし、特許文献１に記載された０．１ｍｍ〜０．５ｍｍ径のチタン球では、大きさが小さく、人体のツボを押圧する効果は比較的弱いので、必ずしも効果的に刺激を与えるものではなかった。特許文献２には、人体のツボを押圧するための押圧体を、金、銀、マンガン、イオウ、りん、ケイ素、炭素を含有する約１ｍｍの球体で構成することが記載されているに過ぎず、チタンを利用していないことから、人体のツボを押圧して刺激を与える効果は限定的であった。
【０００８】
そこで、本考案は、人体のツボを押圧して継続的かつ効果的に刺激を与えることができるツボ刺激シールを提供することを目的とする。
【課題を解決するための手段】
【０００９】
本考案は、人体の皮膚に貼り付け可能な粘着シートと、前記粘着シートの粘着面に固定された押圧体とを有し、前記押圧体が、直径０．６〜２．０ｍｍの球体の形状をなしており、かつチタンを含有しているツボ刺激シールである。
【考案の効果】
【００１０】
本考案によれば、人体のツボを押圧して継続的かつ効果的に刺激を与えることができるツボ刺激シールを提供できる。
【図面の簡単な説明】
【００１１】
【図１】本考案に係るツボ刺激シールの一例の構成を示す模式的断面図である。
【図２】図１に示すツボ刺激シールを耳に装着した際の状態を示す模式的断面図である。
【考案を実施するための形態】
【００１２】
本考案に係るツボ刺激シールの一例の構成を図１に示す。図１のツボ刺激シールは、粘着シート１と、粘着シート１の粘着面１ａに固定された押圧体２と、粘着シート１の粘着面と反対側の面１ｂに固定された装飾体３を有している。１つの粘着シート１に固定される押圧体２及び装飾体３の数は、それぞれ独立に１つでもよく、２つ以上でもよいが、同数であることが好ましい。
【００１３】
粘着シート１は、少なくとも一方が粘着力のある粘着面１ａとなっており、本考案に係るツボ刺激シールは、この粘着力によって人体の皮膚に貼り付けることができる。粘着シート１の粘着面と反対側の面１ｂは、一般的には非粘着性であるが、粘着力を持っていてもよい。粘着面１ａには、例えばアクリル系の粘着剤が塗布されている。粘着シート１の色は、人体の皮膚に貼り付けた際になるべく目立たないように、透明若しくは半透明、又は肌色であることが好ましい。粘着シート１の形状は、四角形や六角形でも構わないが、人体の皮膚に貼り付けやすいことから、円形又は楕円形が好ましく、円形がより好ましい。粘着シート１の大きさに関しては、円形の場合、その直径は５〜１０ｍｍが好ましく、約７ｍｍがより好ましい。
【００１４】
押圧体２は、直径０．６〜２．０ｍｍの球体の形状をなしている。本考案に係るツボ刺激シールを人体の皮膚に貼り付けたとき、この押圧体２によって人体のツボが押圧される。また、押圧体２を球体の形状とすることで、人体のツボにピンポイントで刺激を与えることができ、その球体の直径を０．６〜２．０ｍｍとすることで、強い押圧効果が得られる。押圧体２となる球体の直径は、１．１〜１．５ｍｍの範囲が好ましく、１．１５〜１．２５ｍｍの範囲がより好ましく、約１．２ｍｍとすることがさらに好ましい。なお、球体とは、完全な球でもよく、回転楕円体でもよい。回転楕円体の場合における「直径」とは、回転楕円体の長径と短径の平均値と定義されるが、回転楕円体の場合には、長径と短径の両方が上記の範囲であることが好ましい。
【００１５】
押圧体２は、チタンを含有している。本考案に係るツボ刺激シールを人体の皮膚に貼り付けたとき、チタンを含有する押圧体２で人体のツボを押圧できるので、血液を温かくし筋肉の機能を活性化するといった効果的な刺激を与えることができる。押圧体２は、チタン以外に、金、銀、マンガン、アルミニウム、カリウム、イオウ、りん、ケイ素、炭素、窒素、酸素を含むこともできる。押圧体２は、これらから選択された１種を含んでいてもよく、２種以上を含んでもいてもよい。押圧体２におけるチタンの含有率は、９０重量％以上が好ましく、９９重量％以上がより好ましい。また、押圧体２におけるチタンの含有率は、１００重量％でも構わないが、典型的には９９．９９重量％以下である。例えば、押圧体２として、約９９．９重量％のチタンと、約０．１重量％の酸素とからなる材料を用いることができる。
【００１６】
装飾体３は、本考案において必須のものではないが、装飾体３が粘着シート１の粘着面と反対側の面１ｂに固定されていることで、ツボ刺激シールの見た目をよくし、お洒落な雰囲気をだすことができる。本考案に係るツボ刺激シールを人体に貼り付けたときに押圧体２を見えにくくするために、装飾体３は、押圧体２に対向する位置に固定されることが好ましい。装飾体３の材質としては、ダイヤモンド、石英、水晶、ガラス、クリスタルガラス（ガラスに酸化鉛を加えたもの）が挙げられる。装飾体３は、例えば、略半球形状をなしており、その底面が粘着シート１の粘着面と反対側の面１ｂに接着剤で固定される。装飾体３の上面は、必要に応じてカットされていてもよい。例えば、クリスタルガラスからなる装飾体３の上面に予め最適化された形状の１４面カットを施すことで、装飾体３は強い輝きと色彩を放つようになる。装飾体３の大きさに関しては、押圧体２が隠れる程度の大きさが好ましく、略半球形状の場合、その底面の直径は２．２〜３ｍｍが好ましく、２．５〜２．７ｍｍがより好ましい。
【００１７】
本考案に係るツボ刺激シールは、粘着シート１の粘着面１ａを台紙に向けて貼り付けて固定しておくことで、使用時に台紙から外して人体の皮膚に貼り付けることができる。１枚の台紙に貼り付けるツボ刺激シールの数は、１つでもよく、２つ以上でもよく、例えば１０個×１０個（合計１００個）でもよい。異なる色彩を持つ装飾体３が固定されたツボ刺激シールを組み合わせて台紙に固定すれば、ツボ刺激シールを使用する者が、その時の好みの色彩を放つツボ刺激シールを自由に選択することができ、またツボ刺激シールが固定された台紙自体の見た目も美しくなる。
【００１８】
本考案に係るツボ刺激シールは、押圧体２が人体のツボに当たるようにして、粘着シート１の粘着面１ａを人体の皮膚に貼り付けることで使用される。耳の皮膚は非常に薄く、また脳に近いこともあって、刺激が伝わりやすいと言われているが、本考案に係るツボ刺激シールは、その耳ツボを押圧して刺激を与えるのに好適である。図１に示すツボ刺激シールを耳に装着した際の状態を図２に示す。このように本考案に係るツボ刺激シールを耳５に装着することで、耳ツボを押圧して継続的かつ効果的に刺激を与えることができる。
【符号の説明】
【００１９】
１    粘着シート
１ａ  粘着面
１ｂ  粘着面と反対側の面
２    押圧体
３    装飾体
５    耳
【図１】
0003176949.tif 000003
【図２】
0003176949.tif 000004